(57)【特許請求の範囲】
【請求項１】
かご室本体、
上記かご室本体の上部に設けられ、救出口を有する天蓋、
上記天蓋の下方に配置されている意匠枠体、
上記天蓋に対向するように上記意匠枠体上に設けられている照明カバー、及び
上記天蓋と上記照明カバーとの間に配置されている照明器具
を備え、
上記意匠枠体は、上記かご室本体の上部に位置する収納位置と、先端部が上記かご室本体内に降ろされた救出位置との間で揺動可能な格子部材を有しており、
通常時には、上記格子部材は、収納位置にあり、上記意匠枠体の一部として上記照明カバーの下側でかご室内に常時露出しているエレベータのかご室。
【請求項２】
上記格子部材には、上記格子部材を上記収納位置に保持するロック機構が設けられている請求項１記載のエレベータのかご室。
【請求項３】
上記格子部材は、互いに平行な一対の長辺部材と、上記長辺部材間に渡された複数の短辺部材とを有し、上記短辺部材のうちの１つを変位させることにより上記ロック機構による上記格子部材の保持状態が解除される請求項２記載のエレベータのかご室。
【請求項４】
上記意匠枠体は、枠本体をさらに有し、上記格子部材の基端部は、上記枠本体に対して揺動可能かつスライド可能に連結されている請求項１記載のエレベータのかご室。
【請求項５】
上記格子部材の全長が調節可能になっている請求項１記載のエレベータのかご室。
【請求項６】
上記格子部材は、互いに平行な一対の長辺部材と、複数の短辺部材とを有し、上記短辺部材は、上記格子部材が上記収納位置にあるとき上記長辺部材に埋設され、上記格子部材が救出位置にあるときに上記長辺部材間に渡される請求項１記載のエレベータのかご室。
【発明の詳細な説明】
【技術分野】
【０００１】
この発明は、乗客をかご室内から脱出させるための救出口が天井部に設けられているエレベータのかご室に関するものである。
【背景技術】
【０００２】
従来のエレベータのかご室では、照明カバーの救出口に対向する領域がかご室の内部側へ回動可能になっており、かつ該領域の上面に複数の足掛けフックが所定の間隔で取り付けられている。乗客の救出時には、該領域がかご室の内部側へ回動され、足掛けフックが露出される（例えば、特許文献１参照）。【０００３】
【特許文献１】実開平７−９８７６号公報
【発明の開示】
【発明が解決しようとする課題】
【０００４】
上記のような従来のエレベータのかご室では、照明カバーの上面に足掛けフックが突出しているため、足掛けフックと照明器具との干渉を避けるためには、かご室の天井部の厚さ寸法を十分に確保しなければならず、かご室内の天井高が制限されてしまう。また、足掛けフックを避けて照明器具を配置しようとすると、照明器具のレイアウトが制限されてしまう。【０００５】
この発明は、上記のような課題を解決するためになされたものであり、天井部の厚さ寸法が増大するのを防止するとともに、照明器具の配置の自由度を確保しつつ、かご室内の乗客を天井部から容易に救出することができるエレベータのかご室を得ることを目的とする。
【課題を解決するための手段】
【０００６】
この発明によるエレベータのかご室は、かご室本体、かご室本体の上部に設けられ、救出口を有する天蓋、天蓋の下方に配置されている意匠枠体、天蓋に対向するように意匠枠体上に設けられている照明カバー、及び天蓋と照明カバーとの間に配置されている照明器具を備え、意匠枠体は、かご室本体の上部に位置する収納位置と、先端部がかご室本体内に降ろされた救出位置との間で揺動可能な格子部材を有している。
【図面の簡単な説明】
【０００７】
【図１】この発明の実施の形態１によるエレベータのかご室の天井部を示す底面図である。
【図２】図２は図１のＩＩ−ＩＩ線に沿う断面図である。
【図３】図１のＩＩＩ−ＩＩＩ線に沿う断面図である。
【図４】図１の天井部を示す斜視図である。
【図５】図４の天井部の乗客救出時の状態を示す斜視図である。
【図６】図１の格子部材の要部断面図である。
【図７】図６のロッドが連結された短辺部材を操作する方法を示す説明図である。
【図８】図６のロッドが挿入孔から引き抜かれた様子を示す断面図である。
【図９】図６の格子部材がかご室内部側へ揺動された様子を示す断面図である。
【図１０】図１の格子部材が救出位置に変位された状態を示す正面図である。
【図１１】図１０の格子部材を示す斜視図である。
【図１２】図１１の格子部材本体を示す斜視図である。
【図１３】図１１の延長部を示す斜視図である。
【図１４】図１の格子部材の枠本体への連結構造を示す斜視図である。
【図１５】図１４の要部を示す側面図である。
【図１６】この発明の実施の形態２によるエレベータのかご室の天井部を示す斜視図である。
【図１７】図１６の格子部材を救出位置へ変位させる途中の様子を示す斜視図である。
【図１８】図１７の後段の様子を示す斜視図である。
【図１９】図１６の格子部材を救出位置へ変位させた状態を示す斜視図である。
【図２０】図１９の格子部材の組立方法を説明するための説明図である。
【発明を実施するための最良の形態】
【０００８】
以下、この発明の好適な実施の形態について図面を参照して説明する。
実施の形態１．
図１はこの発明の実施の形態１によるエレベータのかご室の天井部を示す底面図（かご室内から見た図）、図２は図１のＩＩ−ＩＩ線に沿う断面図、図３は図１のＩＩＩ−ＩＩＩ線に沿う断面図、図４は図１の天井部を示す斜視図（斜め下方から見上げた図）、図５は図４の天井部の乗客救出時の状態を示す斜視図である。【０００９】
図において、かご室本体１は、かご床及び複数のかご室壁を有している。かご室壁（前壁）には、かご出入口１ａ（図４及び図５）が設けられている。かご室本体１の上部には、天蓋２が固定されている。天蓋２の中央付近には、救出口２ａが設けられている。天蓋２上には、救出口２ａを開閉するための救出口蓋３が設けられている。【００１０】
天蓋２の下方には、意匠枠体（意匠目地）４が配置されている。意匠枠体４は、天蓋２により支持されている。また、意匠枠体４は、枠状の枠本体５と、梯子状の格子部材６とを有している。格子部材６は、その基端部を中心に揺動可能に枠本体５に連結されている。即ち、格子部材６は、水平な状態でかご室本体１の上部に位置する収納位置（図４）と、先端部がかご室本体１内に降ろされた救出位置（図５）との間で揺動可能になっている。また、格子部材６は、通常にも意匠枠体４の一部としてかご室内に常時露出している。【００１１】
さらに、格子部材６は、互いに平行な一対の長辺部材７と、長辺部材７間に渡された複数の短辺部材８とを有している。格子部材６が救出位置にあるとき、格子部材６は梯子として機能し、短辺部材８は足掛けとして機能する。さらにまた、格子部材６の全長は、図５に示すように調節可能になっている。【００１２】
意匠枠体４上には、天蓋２に対向するように複数の照明カバー９が設けられている。各照明カバー９は、光を透過する材料により構成されている。天蓋２と照明カバー９との間には、複数の照明器具１０が配置されている。【００１３】
図６は図１の格子部材６の要部断面図である。格子部材６は、基端部に設けられた揺動軸１１を中心として揺動可能に枠本体５に連結されている。長辺部材７の先端部には、格子部材６を収納位置に保持するロック機構１２が内蔵されている。ロック機構１２は、長辺部材７の長手方向にスライドすることにより格子部材６の先端部から突出・退没可能なロッド１３とを有している。【００１４】
ロッド１３の基端部は、格子部材６の最も先端部側に位置する短辺部材８に連結されている。ロッド１３が連結された短辺部材８は、ロッド１３とともに所定のストロークだけ長辺部材７の長手方向へ変位可能になっている。即ち、ロッド１３は、それが連絡された短辺部材８を変位させることにより変位される。枠本体５には、ロッド１３の先端部が挿入される挿入孔１４が設けられている。ロッド１３の先端部を挿入孔１４に挿入することにより、格子部材６が収納位置に保持される。【００１５】
ロック機構１２によるロックを解除する場合、ロッド１３が連結された短辺部材８を図７の矢印に示すように格子部材６の基端部側へ変位させる。これにより、図８に示すように、ロッド１３の先端部が挿入孔１４から引き抜かれ、図９に示すように格子部材６がかご室本体１の内部側へ揺動可能となる。【００１６】
図１０は図１の格子部材６が救出位置に変位された状態を示す正面図、図１１は図１０の格子部材６を示す斜視図である。格子部材６が救出位置に変位される際には、格子部材６上の照明カバー９が取り除かれている。格子部材６は、中空構造の格子部材本体１５と、格子部材本体１５に挿入された延長部１６とを有している。【００１７】
格子部材６が収納位置にあるとき、延長部１６は、格子部材本体１５内に収納されている。また、格子部材６を救出位置に変位させる際、延長部１６は、格子部材本体１５の先端部から所望の長さ分だけ引き出される。これにより、格子部材６の全長が調整可能になっている。なお、図１２は図１１の格子部材本体１５を示す斜視図、図１３は図１１の延長部１６を示す斜視図である。【００１８】
図１４は図１の格子部材６の枠本体５への連結構造を示す斜視図（斜め下方から見上げた図）、図１５は図１４の要部を示す側面図である。格子部材６の基端部は、枠本体５に対して揺動可能かつスライド可能に連結されている。枠本体５には、格子部材６のスライド移動を案内するガイド溝１７が設けられている。格子部材６の揺動軸１１は、ガイド溝１７に挿入されている。これにより、格子部材６が救出位置にあるとき、例えば図１５の２点鎖線に示すように、格子部材６の位置及び向きを変更可能になっている。【００１９】
次に、動作について説明する。例えばかごが階床間に停止した場合など、かご室内の乗客をかご上から救出する場合、作業員が上方最寄り階の乗場から天蓋２上に移動し、救出口２ａを開放する。そして、救出口２ａを通して格子部材６上の照明カバー９を取り外し、格子部材６を救出位置へ揺動させる。【００２０】
格子部材６をかご室内に降ろす際には、格子部材６がかご室内の乗客に当たらないように乗客に注意を促す。この後、乗客は格子部材６を登り、救出口２ａから脱出する。【００２１】
このようなエレベータのかご室では、かご室本体１の上部に位置する収納位置と、先端部がかご室本体１内に降ろされた救出位置との間で揺動可能な格子部材６を意匠枠体４に設けたので、梯子を収納する専用のスペースが不要である。従って、天井部の厚さ寸法が増大するのを防止するとともに、照明器具１０の配置の自由度を確保しつつ、かご室内の乗客を天井部から容易に救出することができる。また、意匠枠体４の一部である格子部材６が梯子の機能を有しているので、救出用の梯子を別に設ける必要がなく、部品点数を削減してコストを低減することができる。【００２２】
また、格子部材６を収納位置に保持するロック機構１２を用いたので、通常時に格子部材６がかご室内に変位されるのをより確実に防止することができる。
さらに、短辺部材８のうちの１つを変位させることによりロック機構１２による格子部材６の保持状態が解除されるようにしたので、ロック機構１２の操作部を目立たなくすることができ、意匠性を向上させることができるとともに、格子部材６がいたずらにより変位されるのを防止することができる。【００２３】
さらにまた、格子部材６の基端部は、枠本体５に対して揺動可能かつスライド可能に連結されているので、格子部材６の位置及び向きを容易に変更することができ、格子部材６を使っての乗客の移動をより効率的に行わせることができる。
また、格子部材６の全長が調節可能になっているので、かごの奥行き寸法又は幅寸法が高さ寸法よりも短い場合であっても、格子部材６の先端をかご床まで届かせることができるとともに、救出位置にあるときの格子部材６の傾斜角度を調整することができる。【００２４】
なお、格子部材６の先端部から突出する方向へロッド１３を付勢するばねをロック機構１２に設けてもよく、これにより振動等によりロック機構１２が誤解除されるのをより確実に防止することができる。【００２５】
実施の形態２．
次に、図１６はこの発明の実施の形態２によるエレベータのかご室の天井部を示す斜視図（斜め下方から見上げた図）、図１７は図１６の格子部材を救出位置へ変位させる途中の様子を示す斜視図、図１８は図１７の後段の様子を示す斜視図、図１９は図１６の格子部材を救出位置へ変位させた状態を示す斜視図、図２０は図１９の格子部材の組立方法を説明するための説明図である。【００２６】
この例では、短辺部材８は、格子部材６が収納位置にあるとき長辺部材７に埋設され、格子部材６が救出位置にあるときに長辺部材７間に渡される。このため、各短辺部材８の基端部は、一方の長辺部材７に回動可能に連結されている。他方の長辺部材７には、短辺部材８を受ける係止部（図示せず）が設けられている。他の構成は、実施の形態１と同様である。【００２７】
このようなエレベータのかご室では、通常は短辺部材８が長辺部材７に埋設され露出しないため、天井意匠の自由度を向上させることができる。【００２８】
なお、格子部材の数は１つに限定されるものではなく、１つのかご室に複数の格子部材を設けてもよい。
また、格子部材の全長を調整可能とする場合、全長は連続的に調整可能であっても段階的に調整可能であってもよい。
【図１】
0004896713.tif 000002
【図２】
0004896713.tif 000003
【図３】
0004896713.tif 000004
【図４】
0004896713.tif 000005
【図５】
0004896713.tif 000006
【図６】
0004896713.tif 000007
【図７】
0004896713.tif 000008
【図８】
0004896713.tif 000009
【図９】
0004896713.tif 000010
【図１０】
0004896713.tif 000011
【図１１】
0004896713.tif 000012
【図１２】
0004896713.tif 000013
【図１３】
0004896713.tif 000014
【図１４】
0004896713.tif 000015
【図１５】
0004896713.tif 000016
【図１６】
0004896713.tif 000017
【図１７】
0004896713.tif 000018
【図１８】
0004896713.tif 000019
【図１９】
0004896713.tif 000020
【図２０】
0004896713.tif 000021